(57)【要約】      （修正有）【課題】文具用パンチにより書類を穿孔した際に生じる抜きカスを、極めて容易にファイルケースから除去するとともに、構成する部品点数を減らすことにより部品の原材料費を抑え、製造工程を短縮することができるパンチ付きファイルケースを提供する。【解決手段】定型サイズの書類を収納可能な広さを有する箱体２と、箱体２と一辺において接続され、箱体２の開口部２２を覆う蓋体３と、箱体２又は蓋体３に取り付けられ、対向する箱体２又は蓋体３に設けられた係止部３１を係止し、箱体２と蓋体３とを固定する留め具４と、箱体２又は蓋体３の底面に穿孔されたパンチ受孔２１と、パンチ受孔２１に挿通可能なパンチ刃５１を有し、パンチ受孔２１が穿孔された箱体２又は蓋体３の底面に、パンチ刃５１がパンチ受孔２１に挿通可能に取り付けられた押圧板５と、を備える。【選択図】図２
0003185820.tif 000002
【実用新案登録請求の範囲】
【請求項１】
定型サイズの書類（Ｌ）を収納可能な広さを有する箱体（２）と、
前記箱体（２）と一辺において接続され、前記箱体（２）の開口部（２２）を覆う蓋体（３）と、
前記箱体（２）又は前記蓋体（３）に取り付けられ、対向する前記箱体（２）又は前記蓋体（３）に設けられた係止部（３１）を係止し、前記箱体（２）と前記蓋体（３）とを固定する留め具（４）と、
前記箱体（２）又は前記蓋体（３）の底面に穿孔されたパンチ受孔（２１）と、
前記パンチ受孔（２１）に挿通可能なパンチ刃（５１）を有し、前記パンチ受孔（２１）が穿孔された前記箱体（２）又は前記蓋体（３）の底面に、前記パンチ刃（５１）が前記パンチ受孔（２１）に挿通可能に取り付けられた押圧板（５）と、
を備えていることを特徴とするパンチ付きファイルケース（１）。
【請求項２】
前記パンチ刃（５１）により穿孔された定型サイズの書類（Ｌ）を通す固定ピン（６３）が前記箱体（２）の底面より前記蓋体（３）側に突設し、前記固定ピン（６３）の先端に嵌合する固定ピン受け部（６４）を有する押さえ板（６１）とで綴じる綴じ部材（６）を備えることを特徴とする請求項１に記載のパンチ付きファイルケース（１）。
【請求項３】
前記留め具（４）が、略角環状であり、前記箱体（２）の外側側面に押圧板（５）を挟むよう２つ設けられ、前記係止部（３１）が、略角状突起物であり、前記蓋体（３）の外側底面に設けられており、略角環状の前記留め具（４）と略角状突起物である前記係止部（３１）とが係止することを特徴とする請求項１又は請求項２に記載のパンチ付きファイルケース（１）。
【考案の詳細な説明】
【技術分野】
【０００１】
本考案は、文具用パンチを備えたファイルケースに関する。
【背景技術】
【０００２】
従来、文具用パンチを備えたバインダーファイルが種々知られている。パンチにより書類を穿孔して、そのままバインダーに綴じることができるので、身近に文具用パンチがない場合に困らず、また、その探す手間もかからないので便利なファイルである。
【０００３】
例えば、特許文献１には、パンチ受孔を複数有する薄肉の取付板と、パンチ刃を複数突設させた薄肉の押圧板とから成るパンチ穿孔具を、パンチ孔での書類綴じ込みリングを有するバインダーファイルに固着してなるバインダーファイルが開示されている。
【先行技術文献】
【特許文献】
【０００４】
【特許文献１】登録実用新案第３０６２７２６号公報
【考案の概要】
【考案が解決しようとする課題】
【０００５】
しかしながら、特許文献１に記載のバインダーファイルでは、パンチ受孔を複数有する薄肉の取付板を備えており、バインダーファイルには孔が設けられていないため、書類を穿孔した際に生じる抜きカスをその取付板とバインダーファイルの間から除去する必要があり、抜きカス排出用の切欠を取付板に設けてはいるが、抜きカスを円滑に排出することが困難であり、また、抜きカスを排出できたときにおいても廃棄するためにバインダーファイルから除去する必要があった。
【０００６】
また、パンチ穿孔具をバインダーファイルに取り付けているが、さらに部品点数を減らすことにより部品の原材料費を抑え、製造工程を短縮することによるコストダウンが求められていた。
【０００７】
そこで、本考案では、前述した課題に対し、文具用パンチにより書類を穿孔した際に生じる抜きカスを、極めて容易にファイルケースから除去するとともに、パンチ付きファイルケースを構成する部品点数を減らすことにより部品の原材料費を抑え、製造工程を短縮することができるパンチ付きファイルケースを提供することを目的とする。
【課題を解決するための手段】
【０００８】
すなわち、請求項１に係るパンチ付きファイルケース（１）は、定型サイズの書類（Ｌ）を収納可能な広さを有する箱体（２）と、前記箱体（２）と一辺において接続され、前記箱体（２）の開口部（２２）を覆う蓋体（３）と、前記箱体（２）又は前記蓋体（３）に取り付けられ、対向する前記箱体（２）又は前記蓋体（３）に設けられた係止部（３１）を係止し、前記箱体（２）と前記蓋体（３）とを固定する留め具（４）と、前記箱体（２）又は前記蓋体（３）の底面に穿孔されたパンチ受孔（２１）と、前記パンチ受孔（２１）に挿通可能なパンチ刃（５１）を有し、前記パンチ受孔（２１）が穿孔された前記箱体（２）又は前記蓋体（３）の底面に、前記パンチ刃（５１）が前記パンチ受孔（２１）に挿通可能に取り付けられた押圧板（５）と、を備えていることを特徴とするパンチ付きファイルケース（１）である。
【０００９】
そして、請求項２に係るパンチ付きファイルケース（１）は、前記パンチ刃（５１）により穿孔された定型サイズの書類（Ｌ）を通す固定ピン（６３）が前記箱体（２）の底面より前記蓋体（３）側に突設し、前記固定ピン（６３）の先端に嵌合する固定ピン受け部（６４）を有する押さえ板（６１）とで綴じる綴じ部材（６）を備えることを特徴とする請求項１に記載のパンチ付きファイルケース（１）である。
【００１０】
そして、請求項３に係るパンチ付きファイルケース（１）は、前記留め具（４）が、略角環状であり、前記箱体（２）の外側側面に押圧板（５）を挟むよう２つ設けられ、前記係止部（３１）が、略角状突起物であり、前記蓋体（３）の外側底面に設けられており、略角環状の前記留め具（４）と略角状突起物である前記係止部（３１）とが係止することを特徴とする請求項１又は請求項２に記載のパンチ付きファイルケース（１）である。
【考案の効果】
【００１１】
本考案に係るパンチ付きファイルケースによれば、文具用パンチにより書類を穿孔した際に生じる抜きカスを、極めて容易にファイルケースから除去するとともに、パンチ付きファイルケースを構成する部品点数を減らすことにより部品の原材料費を抑え、製造工程を短縮することができる。
【図面の簡単な説明】
【００１２】
【図１】本考案の一実施形態におけるパンチ付きファイルケースの斜視図である。
【図２】本考案の一実施形態におけるパンチ付きファイルケースの他の斜視図である。
【図３】本考案の一実施形態におけるパンチ付きファイルケースのパンチによる穿孔工程を示す図である。
【図４】本考案の一実施形態におけるパンチ付きファイルケースのファイル状態を示す図である。
【図５】本考案の一実施形態におけるパンチ付きファイルケースのＡＢＣＤＥ線組み合わせ断面図である。
【考案を実施するための形態】
【００１３】
以下、本考案に係るパンチ付きファイルケースに関する一実施形態について詳しく説明する。なお、以下に説明する実施形態は、本考案を実施するに好ましい具体例であるから、技術的に種々の限定がなされているが、本考案は、以下の説明において特に考案を限定する旨明記されていない限り、これらの形態に限定されるものではない。また、説明中における範囲を示す表記のある場合は、上限と下限を含有するものである。
【００１４】
図１、図２に本考案に係るパンチ付きファイルケースに関する一実施形態を示している。そして、図３、図４は、その使用状態を示している。図５は、本考案に係るパンチ付きファイルケースの断面図を示している。
【００１５】
図１及び図２に示すように、パンチ付きファイルケース１は、定型サイズの書類Ｌを収納可能な広さを有する箱体２と、箱体２と一辺において接続され、箱体２の開口部２２を覆う蓋体３と、箱体２に取り付けられ、対向する蓋体３に設けられた係止部３１を係止し、箱体２と蓋体３とを固定する留め具４と、箱体２の底面に穿孔されたパンチ受孔２１と、パンチ受孔２１に挿通可能なパンチ刃５１を有し、パンチ受孔２１が穿孔された箱体２の底面に、パンチ刃５１がパンチ受孔２１に挿通可能に取り付けられた押圧板５と、を備えていることを特徴とするパンチ付きファイルケース１である。
【００１６】
そして、さらに、パンチ付きファイルケース１は、パンチ刃５１により穿孔された定型サイズの書類Ｌを固定する固定ピン６３が突設された支持板６２と、固定ピン６３の先端に嵌合する固定ピン受け部６４を有する押さえ板６１とが、ヒンジ部６５を介して連結する綴じ部材６を備え、箱体２と蓋体３とが接続される一辺側の箱体２の底面において、支持板６２が固定されている。
【００１７】
図１及び図２に示すパンチ付きファイルケース１は、ＪＩＳ  Ｐ０１３８など規定されている横２１０ｍｍ、縦２９７ｍｍのＡ４サイズの書類を収納することができるように設計されているが、本考案においては、その他の大きさのＡ０、Ａ１、Ａ２、Ａ３、Ａ５、Ａ６、Ａ７、Ａ８、Ｂ０、Ｂ１、Ｂ２、Ｂ３、Ｂ４、Ｂ５、Ｂ６、Ｂ７、Ｂ８などの定型サイズの書類Ｌを収容することができるように、箱体２及び蓋体３の大きさを変更してもよい。
【００１８】
箱体２は、ポリプロプレンなどの熱可塑性樹脂から成り、Ａ４サイズの書類を収納可能なようにＡ４サイズの書類よりも広い開口部２２を有する厚みの薄い箱状の入れ物である。なお、箱体２の厚みは、収納する書類の枚数を多くしたいときには厚くするなど、所望する収納枚数に応じて変更することができる。本実施形態における箱体２は、不透明として内部を見えないようにしているが、他の実施形態において、透明として内部を見えるようにすることもできる。また、適宜、上記熱可塑性樹脂に顔料などを添加し着色することもできる。箱体２は、ヒンジ３２を介して蓋体３と接続され、蓋体３に対して回動することにより、ヒンジ３２とは反対に位置する箱体開放端部２ａと蓋体開放端部３ａとが重なり合う。
【００１９】
また、箱体２の底面には、パンチ受孔２１が箱体開放端部２ａ側に沿って貫通するよう２箇所穿孔されている。このパンチ受孔２１から、定型サイズの書類Ｌにパンチ刃５１で孔を開けたときに生じるカスを排出することができ、箱体２の内部にそのパンチカスが溜まらないようになる。なお、本実施形態において、パンチ受孔２１を箱体２に穿孔しているが、他の実施形態において、蓋体３に穿孔することもでき、その場合、対応するパンチ刃５１を有する押圧板５も蓋体３に設けられることとなる。
【００２０】
蓋体３は、箱体２と同様に、ポリプロプレンなどの熱可塑性樹脂から成り、底面に縁部を立設し、箱体２より厚みの薄い箱状の部材である。本実施形態における蓋体３は、不透明として内部を見えないようにしておいるが、他の実施形態において、透明として内部を見えるようにすることもできる。蓋体３を透明とするか不透明とするかは、箱体２と合わせることが好ましい。また、箱体２と同様に、適宜、上記熱可塑性樹脂に顔料などを添加し着色することもできる。
【００２１】
蓋体３には、外側底面、すなわち、箱体２と対向する内側底面と反対側の底面の蓋体開放端部３ａ側に沿って、２箇所係止部３１が設けられている。係止部３１は、略角状の突起物であり、箱体２の箱体開放端部２ａに設けられた留め具４と係止し、箱体２と蓋体３が離れないよう固定する部材である。本実施形態において、係止部３１は、略角状の突起物であるが、他の実施形態において、留め具４と係止することができれば、板状の突起物、角形の窪みなど種々の形態をとることができる。また、本実施形態において、係止部３１は蓋体３に設けられているが、他の実施形態において箱体２に設けることができ、その場合、留め具４が蓋体３に設けられる。
【００２２】
留め具４は、ポリプロプレンなどの熱可塑性樹脂から成り、略角環状であり、箱体（２）の外側側面、すなわち、箱体開放端部２ａに押圧板５を挟むよう２つ設けられ、蓋体３に設けられた２つの係止部３１と係止し、箱体２と蓋体３を離れないよう固定する部材である。本実施形態において、留め具４は、四角形状の貫通孔を有する形状の部材であるが、他の実施形態において、係止部３１と係止することができれば、ボタン、フック、バックルなどを用いてもよい。また、本実施形態において、留め具４は箱体２に設けられているが、他の実施形態において蓋体３に設けることができ、その場合、係止部３１が箱体２に設けられる。
【００２３】
押圧板５は、ポリプロプレンなどの熱可塑性樹脂から成り、略板状であり、その背面を指で押すことにより定型サイズの書類Ｌに、綴じるための貫通孔を作成することができる部材である。押圧板５は、箱体２に対して回動可能に箱体２に取り付けられており、その箱体２に対向する面に２つパンチ刃５１が突設されている。本実施形態において、押圧板５は箱体２に設けられているが、他の実施形態において蓋体３に設けることができ、その場合、押圧板５のパンチ刃５１が挿通するパンチ受孔２１も蓋体３に設けられる。
【００２４】
パンチ刃５１は、略円柱状の先端がＶ字状に切り取られている形状を有し、押圧板５における箱体２に対向する面に２つ突設されている。パンチ刃５１は、パンチ受孔２１に挿通することができる位置に配置されていることから、箱体２の所定位置に設置された定型サイズの書類Ｌに当接し、さらに、力を加えられることにより、パンチ受孔２１に挿通し、定型サイズの書類Ｌに孔を開けることができる。
【００２５】
綴じ部材６は、パンチ刃５１により穿孔された定型サイズの書類Ｌを固定する固定ピン６３が突設された支持板６２と、固定ピン６３の先端に嵌合する固定ピン受け部６４を有する押さえ板６１とが、綴じ部材ヒンジ部６５を介して連結する構成を有している。パンチ刃５１により穿孔された定型サイズの書類Ｌの孔を固定ピン６３に通して、押さえ板６１を指で押して、先端に嵌合穴を有する固定ピン受け部６４が固定ピン６３と嵌合することにより、その定型サイズの書類Ｌを綴じることができる。
【００２６】
図５に示すように、綴じ部材６は、箱体２の外側底面から箱体２の蓋体３側に設けた２つの孔に固定ピン６３を通して、支持板６２の３方端部に設けた４個の爪で支持板６２と箱体２とを固定し、そして、蓋体３の外側底面から蓋体３の箱体２側に設けた孔から押さえ板６１を通して、蓋体３の内側に位置させる。押さえ板６１は蓋体３に固設されるものではなく、所定の範囲で可動することができる。すなわち、押さえ板６１の外周には鍔部が設けられており、その鍔部が蓋体３の内側底面と当接するため、押さえ板６１が蓋体３の内側と支持板６２と嵌合する範囲内で回動することができる。本実施形態において、綴じ部材６は箱体２と蓋体３と別体として設けられているが、他の実施形態において箱体２の底面より蓋体３側に固定ピン６３を一体として突設することができる。
【００２７】
係止板７は、箱体２より断面略Ｌ字状に突設し、固定ピン６３側に向かって開口しており、定型サイズの書類Ｌの一端と係止する部材である。係止板７により、定型サイズの書類Ｌに開ける孔の位置決めをすることができる。また、係止板７が押圧板５１と干渉しないように押圧板５１の中央付近には貫通孔が設けられており、押圧板５１を指で押して定型サイズの書類Ｌに孔を開けるときに接触することなくスムーズに定型サイズの書類Ｌに孔を開けることができる。本実施形態において、係止板７は箱体２に設けられているが、他の実施形態において押圧板５が蓋体３に設けられている場合、押圧板５と同じく蓋体３に設けられる。
【００２８】
本実施形態の使用方法について説明する。
図３（ａ）に示すように、押圧板５を箱体２から離間させ、定型サイズの書類Ｌの一辺を係止板７の開口に挿入して係止する。そして、図３（ｂ）に示すように、押圧板５を指で押すなどして箱体２側に押さえつけることにより、押圧板５に突設したパンチ刃５１が定型サイズの書類Ｌに当接し、さらに、力を加えられることにより、パンチ受孔２１に挿通し、定型サイズの書類Ｌに孔を開けることができる。
【００２９】
そして、図４に示すように、孔を開けた定型サイズの書類Ｌを、固定ピン６３に通す。さらに、押さえ板６１を指などで押して、先端に嵌合穴を有する固定ピン受け部６４が固定ピン６３と嵌合することにより、その定型サイズの書類Ｌを綴じることができる。
【００３０】
本考案のパンチ付きファイルケース１により、手元にパンチが見当たらなくともパンチが付いているため利便性を向上させることができ、さらに、パンチカスが書類の間に挟まって取り除きにくいと不都合を解消するとともに、そのパンチカスがファイル内に散乱することを防止することができる。
【符号の説明】
【００３１】
１・・・パンチ付きファイルケース
２・・・箱体
２１・・パンチ受孔
２２・・開口部
２ａ・・箱体開放端部
３・・・蓋体
３１・・係止部
３２・・ヒンジ
３ａ・・蓋体開放端部
４・・・留め具
５・・・押圧板
５１・・パンチ刃
６・・・綴じ部材
６１・・押さえ板
６２・・支持板
６３・・固定ピン
６４・・固定ピン受け部
６５・・綴じ部材ヒンジ部
７・・・係止板
Ｌ・・・定型サイズの書類
【図１】
0003185820.tif 000003
【図２】
0003185820.tif 000004
【図３】
0003185820.tif 000005
【図４】
0003185820.tif 000006
【図５】
0003185820.tif 000007